(57)【要約】      （修正有）【課題】着用時、患部はもちろん、ギブスから露出された患者の足指を安全に保護することにより、事故を未然に防止することができるギブス患者用靴を開示する。【解決手段】開示された本発明に係るギブス患者用靴は、足指を除く足の部位にギブスをした患者が外出時に使用するためのギブス患者用靴であって、患者の足を支持する底板１０と、底板上にギブスを含む患者の足を包み込む形で設けられ、足の甲を覆う部分に第１の決着手段を備えた覆い片２０と、患者の足指が位置する底板の前面部から延長され、患者の足指を収容するように曲げられ、覆い片の第１の決着手段と向き合う部分に、第１の決着手段と相互決着される第２の決着手段を備えた保護片３０と、を含み、底板と覆い片と保護片は一体型でなることを特徴とする。【選択図】図１
2016083350.tif 000002
【特許請求の範囲】
【請求項１】
足指を除く足の部位にギブスをした患者が外出時に使用するためのギブス患者用靴であって、
前記患者の足を支持する底板と、
前記底板上にギブスを含む患者の足を包み込む形で設けられ、足の甲を覆う部分に第１の決着手段を備えた覆い片と、
前記患者の足指が位置する底板の前面部から延長され、患者の足指を収容するように曲げられ、前記覆い片の第１の決着手段と向き合う部分に、前記第１の決着手段と相互決着される第２の決着手段を備えた保護片と、
を含んでおり、
前記底板と覆い片および保護片は、一体型でなることを特徴とするギブス患者用靴。
【請求項２】
前記底板と覆い片および保護片は、ＥＶＡ（Ｅｔｈｙｌｅｎｅ  Ｖｉｎｙｌ  Ａｃｅｔａｔｅ）材質からなることを特徴とする請求項１に記載のギブス患者用靴。
【請求項３】
前記底板は２〜３ｃｍの厚さを有し、前記覆い片および保護片は、１〜５ｍｍの厚さを有することを特徴とする請求項１に記載のギブス患者用靴。
【請求項４】
前記第１の決着手段は、前記底板の両側から足の甲を覆う覆い片の両側部分の下面それぞれに形成され、
前記第２の決着手段は、前記第１の決着手段と接する保護片部位の全体に形成され、
前記第１および第２の決着手段は、ベルクロテープからなることを特徴とする請求項１に記載のギブス患者用靴。
【発明の詳細な説明】
【技術分野】
【０００１】
本発明は、ギブス患者用靴に関するものであって、より詳しくは、着用時に患部はもちろん、ギブスから露出した患者の足指を安全に保護することにより、事故を未然に防止することができるギブス患者用靴に関する。
【背景技術】
【０００２】
一般に、足や脚および腕の骨が折れたり、ひびが入るなどの骨折を負う場合や靭帯が伸びる場合、患部にいわゆるストッキネット（ｓｔｏｋｉｎｅｔｔｅ）と呼ばれ皮膚保護用下地布を着用した後、その上に脱脂綿を複数回巻いて、これに硬化用釉薬に漬けた硬化用包帯を数回巻いて硬化させる焼き石膏（Ｐｌａｓｔｅｒ  ｏｆ  Ｐａｒｉｓ）施術方法を通して治療してきた。
【０００３】
すなわち、焼き石膏の粉末に水を加えるとすぐに固化する性質があるが、包帯に粉末石膏をつけておいて使用直前に焼きミョウバンを加えた４２〜４３℃の温水に浸した後、身体の患部に略０．５ｃｍ程度の厚さで巻いて、これを２０分程度おくと包帯が堅くなるが、これをギブスという。
【０００４】
したがって、骨が折れたり、ひびが入るなどの骨折を負う場合、ギブスをした状態で一ヶ月以上すると、時間が経過するにつれて、骨折が自然に治癒される。
【０００５】
一方、骨折によりギブスをする場合、ギブス部位の体積が極めて大きくならざるを得ず、これにより、不便さが伴う。特に、足を負傷した場合、足指を除いた足の甲全体と足首の部位にギブスをすることになるが、この場合も足の部位の体積がかなり大きくなるにつれ、普段履いていた靴は、履くことができなくなり、外出時に不便さを感じざるを得ない。
【０００６】
これに、ギブス患者の靴の代わりに着用することができる様々な形態のギブス患者用靴が提案されている。たとえば特許文献１に「ギブス患者用靴」が提案されている。提案されたギブス患者用靴は、靴底と収容部を有し、収容部の前部は、患者の足が着脱できるように開閉可能に形成されており、前記収容部の尻手下部は、患者の足が収容された状態で前記収容部の下段わく周囲にしわができないように、その患者の足きびすが露出して外部に開放されるしわ防止部が備えられていることを特徴としている。
【０００７】
しかし、これらのギブス用の靴は、着用時に患者の足指が外部に露出されており、歩行時、思いがけなく他の物体とぶつかってしまったり、熱湯、尖ったものや重い物体が露出した足指に落ちたりした場合、足指に傷を負ったり、ひどくは骨折などの深刻な事故へとつながってしまうという問題がある。
【０００８】
また、寒い冬には足指の暴露が原因で、外出時、凍傷にかかってしまうおそれがかなりあり、これを防止するためには別途のカバーソックスや靴下を着用しなければならないという手間がかかる。
【先行技術文献】
【特許文献】
【０００９】
【特許文献１】韓国公開実用新案公報第２０−２００９−０００３２７９号
【特許文献２】韓国公開実用新案公報第２０−２０１１−０００６１２８号
【発明の概要】
【発明が解決しようとする課題】
【００１０】
したがって、本発明は、前記した従来の問題点を解決するために提案されたもので、ギブス部位はもちろん、ギブスから露出された足指を安全に保護することにより、不要な事故を未然に防止することができるギブス患者用靴を提供することにその目的がある。
【課題を解決するための手段】
【００１１】
前記のような目的を達成するための本発明に係るギブス患者用靴は、足指を除く足の部位にギブスをした患者が外出時使用するためのギブス患者用靴であって、前記患者の足を支持する底板と、前記底板上にギブスを含む患者の足を包み込む形で設けられ、足の甲を覆う部分に第１の決着手段を備えた覆い片と、および、前記患者の足指が位置する底板の前面部から延長され、患者の足指を収容するように曲げられ、覆い片の第１の決着手段と向き合う部分に第１の決着手段と相互決着される第２の決着手段を備えた保護片と、を含み、前記底板と覆い片および保護片は、一体型でなることを特徴とする。
【００１２】
本発明に係るギブス患者用靴において、前記底板と覆い片および保護片は、一体型であるＥＶＡ（Ｅｔｈｙｌｅｎｅ  Ｖｉｎｙｌ  Ａｃｅｔａｔｅ）材質からなることができる。
【００１３】
本発明に係るギブス患者用靴において、前記底板は２〜３ｃｍの厚さを有し、前記覆い片および保護片は、１〜５ｍｍの厚さを有することができる。
【００１４】
本発明に係るギブス患者用靴において、前記第１の決着手段は、前記底板の両側から足の甲を覆う覆い片両側部分の下面それぞれに形成され、前記第２の決着手段は、前記第１の決着手段と接する保護片部位全体に形成され、前記第１および第２の決着手段はベルクロテープでなることができる。
【発明の効果】
【００１５】
本発明のギブス患者用靴によれば、着用時ギブスから露出された患者の足指を危険から安全に保護することができるため、不要な事故を未然に防止することができる。
【００１６】
また、本発明のギブス患者用靴は、弾性力に優れ、軟質で、取り扱いが容易なＥＶＡ素材で製作することにより、衝撃を吸収することができ、フィット感に優れ、患者に極めて実用的となることができる。
【００１７】
さらに、本発明のギブス患者用靴は、ＥＶＡ材質で射出成形して一体に製作するため、底板および覆い片をそれぞれ製作した後、相互連結しなければならない従来技術に比べ靴の製造を簡略化することができ、これにより、製造コストも削減することができる。
【図面の簡単な説明】
【００１８】
【図１】本発明に係るギブス患者用靴の保護片の結合前の状態を示す斜視図である。
【図２】図１に示すギブス患者用靴の断面図である。
【図３】本発明に係るギブス患者用靴の保護片の結合後の状態を示す斜視図である。
【図４】図３に示すギブス患者用靴の断面図である。
【図５】本発明に係るギブス患者用靴の覆い片および保護片を広げた状態を示す斜視図である。
【図６】本発明に係るギブス患者用靴の保護片が曲がった状態を示す斜視図である。
【図７】本発明に係るギブス患者用靴の使用例を説明するための図である。
【図８】本発明に係るギブス患者用靴の使用例を説明するための図である。
【発明を実施するための形態】
【００１９】
以上、本発明の目的および効果は、添付された図面と関連し、以下の実施例を通して容易に理解されることができる。しかしながら、本発明は、ここで説明する実施例に限定されるものでなく、他の形態で具体化することもできる。むしろ、ここで紹介される実施例は、開示された内容が徹底して完全なものとなるように、さらに、当業者に本発明の思想が十分に伝達されるようにするために提供されるものである。
【００２０】
また、本明細書において、ある構成要素が他の構成要素上にあると言及された場合、それは他の構成要素上に直接形成されることができるか、或いはそれらの間に第３の構成要素が介在し得ることもあるということを意味する。
【００２１】
また、本明細書において、第１および第２などの用語が構成要素を記述するために使用されている場合、これらの構成要素がこのような用語によって限定されてはならない。これらの用語は、単にある構成要素を他の構成要素と区別させるために使用されただけである。併せて、第１の構成要素が第２の構成要素上で動作または実行されると言及されている場合、第１の構成要素が第２の構成要素上にて動作または実行される環境において動作または実行されたり、或いは第２の構成要素と直接または間接的に相互作用を通して動作または実行されるものと理解されるべきである。
【００２２】
さらに、本明細書において使用される用語は、実施例を説明するためのものであって、本発明を制限するものではなく、そして、本明細書における単数形は、文句で特に言及していない限り、複数形も含むことができる。すなわち、明細書にて使用される「含む（ｃｏｍｐｒｉｓｅｓ）」および／または「含んでいる（ｃｏｍｐｒｉｓｉｇ）」は、言及された構成要素が１つ以上の他の構成要素の存在または追加を排除していないことを意味する。
【００２３】
また、図面において、構成要素の形状および厚さなどは、より明確な説明を強調するために誇張されて表現されることができ、各図面においては、同じ部材は同じ参照符号で示されたことを留意しなければならない。また、発明を記述するにおいて、公知でありながら発明と大きく関連のない部分は、本発明を説明するにおいて、混沌をもたらすことを防ぐために記述しないことを予め言及するものである。
【００２４】
以下、添付された図面を参照して、本発明の好適な実施例を詳細に説明する。
【００２５】
図１ないし図５は、本発明に係るギブス患者用靴を説明するための図面であって、図１は、保護片の結合前の状態を示す斜視図であり、図２は図１の断面図であり、図３は、保護片の結合後の状態を示す斜視図であり、図４は図３の断面図であり、図５は、覆い片および保護片を広げた状態を示す斜視図であり、図６は、保護片が曲がった状態を示す斜視図である。
【００２６】
図１〜図６を参照すると、本発明に係るギブス患者用靴１００は、足指を除く足の部位にギブスをした患者が外出時に使用するためのものであって、底板１０、覆い片２０および保護片３０を含むように構成され、ギブスをした患者の足を支持するとともに、安全に歩行できるようにする。
【００２７】
ここで、前記底板１０は、患者のギブスをした厚い足に対応して最適化した足の形の板状を有するように設けることができ、患者の足が地面との直接的な接触を防止する役割を果たす。このような底板１０は、適切なクッション性を有するようにすることにより、歩行時、患者の体重を分散させて患部への影響が最小限になるようすることが好ましい。また、底板１０は、ギブスをした患者の足と接触する面に複数の突起１２を有するように設けることにより、スリップを防止するように構成することができる。
【００２８】
一方、このような底板１０は、優れた弾性力を持ちながら軟質であり、取り扱いが容易なＥＶＡ（Ｅｔｈｙｌｅｎｅ  Ｖｉｎｙｌ  Ａｃｅｔａｔｅ）材質からなることができ、適切なクッション性を持たせるために、例えば、２〜３ｃｍの厚さに設けることができる。
【００２９】
併せて、明確に図示していないが、底板１０の底面は地面との摩擦力を考慮して多様な形態および構造を有することができる。
【００３０】
また、前記覆い片２０は、底板１０の上面に延設されるものであって、ギブスをした患者の患部、すなわち、足を包みながら、全体的にその内部に患部が収容されることができる形態を有するように設けられることができる。
【００３１】
これらの覆い片２０は、患者のかかとが位置する背面側は塞がっているのに対し、患者の足指が位置する前面側は開放される形で設けられることができ、また、ギブスをした患者の足の両側のそれぞれで足の甲の部分に位置する決着部２０ａを含むことができ、これらの決着部２０ａの底面、すなわち、患者の足の甲と接する面には、第１の決着手段２２が設けられることができる。
【００３２】
ここで、第１の決着手段２２は、ベルクロテープ（ｖｅｌｃｒｏ  ｔａｐｅ）の粗面または柔らかい面のいずれかであるとすることができる。好ましくは、第１の決着手段２２は、患者の患部やギブスに悪い影響を及ぼさないようにベルクロテープの柔らかい面で形成される。
【００３３】
また、図示するように、覆い片２０は、その両側面および背面部位に少なくとも一つ以上の通気孔４０を備えるように設けられることができ、これらの通気孔等２４によって患者の足から出てきた汗が外部にスムーズに排出されるようにすることができることはもちろん、秀麗な美観を得ることができる。したがって、通気孔４０の形状は、本実施形態の単純な形状に加え、図示してはいないが、ハート形や星形はもちろん、美観上、美しさを与えることができる様々な形状が適用可能である。併せて、通気孔４０の設置位置もまた多様に設計変更可能である。
【００３４】
一方、このような覆い片２０は、ＥＶＡ材質の底板１０と一体的に形成され、したがって、覆い片２０もまたＥＶＡ材質からなる。また、覆い片２０は、１〜５ｍｍの厚さを有することができる。
【００３５】
また、前記保護片３０は、ギブスから露出された患者の足指を保護するために設けられるもので、底板１０の前面部から延長する形で形成される。特に、保護片３０は、患者がギブスをした足を底板１０にのせた状態で患者の露出された足指を収容する形で曲げられるように設けられ、この状態を維持して、患者の足指を持続的に保護することができるように覆い板２０の決着部２０ａに設けられた第１の決着手段２２と決着される。これのため、保護片３０の場合、縁部分には、すなわち、覆い板２０の第１の決着手段２２と接するようにされている保護板３０の部分には、第１の決着手段２２との決着のための第２の決着手段３２が設けられる。
【００３６】
このとき、第２の決着手段３２は、第１の決着手段２２と接する保護片３０部位全体に設けられることにより、長さ調節を通して様々な足指の長さの患者いずれにも適用可能なように構成されている。
【００３７】
ここで、第２の決着手段３２は、ベルクロテープの粗面または柔らかい面のいずれかであるとすることができ、例えば、覆い片２０の決着部２０ａに設けられる第１の決着手段２２がベルクロテープの柔らかい面に設けられた場合、保護板３２に形成される第２の決着手段３２は、ベルクロテープの粗面に設けられることができる。
【００３８】
このような保護片３０は、ＥＶＡ材質で構成されながら底板１０および覆い片２０と一体型に形成されることができ、患者の足指を覆えるように曲げることができ、かつ患者の足指を安定的に保護することができるように、例えば、覆い片２０と同様に１〜５ｍｍ程度の厚さを有するように設けられることができる。したがって、保護片３０は、外部から限界値以下の衝撃を受けた場合、これを減衰させ、その内部に収容された患者の足指を安全に保護することができる。また、保護片３０は、患者の足指の前面および上面を覆うのに対し、側面は覆わないように構成されることにより、汗やこれによる臭いなどが外部にうまく排出されるようにすることができる。
【００３９】
一方、保護片３０は、患者の足指が外部に露出され、歩行時、他の物体とぶつかったり、熱湯などが露出された足指に零れ落ちてしまうことによる２次的な被害を負うことを防止することを主な目的とするところ、その形状および構造は、本実施例に限定されず、様々な形状や構造に設計変更可能である。
【００４０】
図７および図８は、本発明に係るギブス患者用靴の使用例を説明するための図である。
【００４１】
図７を参照すると、底板１０、覆い片２０および保護片３０を含む本発明に係る靴１００の前記覆い片２０内に収容されるようにギブス６０をした患者の足５０を入れる。このとき、底板１０は、ギブス６０をした患者の足５０を支持するようにされており、覆い片２０は、このように収容された足５０を包み込むようにされ、特に、覆い片２０の決着部２０ａは、足の甲の部分に位置する。一方、保護片３０は、ギブス６０から露出された患者の足指を覆われていない状態で底板１０の前面側から長く延長配置される。
【００４２】
図８を参照すると、保護片３０を曲げて露出された患者の足指部分を含み、これに隣接する足の甲の部分を包み込むようにしながら、その縁端に設けられた第２の決着手段３２が覆い片２０の決着部２０ａの下に位置するように挿入し、これと同時に、前記保護片３０の第２の決着手段３２と覆い片２０の決着部２０ａを相互に決着してくれる。このとき、保護片３０の曲がり程度を適切に調節することにより、様々な足指の長さのいずれも覆うことができる。
【００４３】
このようにすることにより、足指を除いた足の部位にギブス６０をした患者は、その足指を保護した状態で、本発明の靴１００を着用することができるようになり、したがって、ギブス６０から露出された足指を思わぬ危険から安定的に保護することができるようになる。
【００４４】
前述したように、底板と覆い片と保護片を含む本発明に係るギブス患者用靴は、良好な弾性を持ちながら軟質で、取り扱いが容易なＥＶＡ素材で成され、射出成形等により一体型に設けられることができる。すなわち、本発明に係るギブス患者用靴はＥＶＡ素材で製作するが、底板と覆い片および保護片をそれぞれ設けた後、これらを相互結合させて作製する方法ではない、射出成形などの工程を経てモールドから一度に底板と覆い片および保護片をともに型取る方式で製作することができる。
【００４５】
したがって、本発明に係るギブス患者用靴は、その製造工程を簡素化することができることはもちろん、これにより、製造コストも低減することができる。
【００４６】
何よりも、本発明のギブス患者用靴は、ギブスから露出された患者の足指を保護片で覆うことにより、歩行時の思わぬ危険から露出された足指を安定的に保護することができる。
【００４７】
一方、底板、覆い片および保護片を含む本発明に係るギブス患者用靴は、保護片の全体的な外観と形状を安定性と製造性、そして、審美感に基づいて人体工学的な最適のデザインを適用することにより、患者に良好なフィット感に加え、審美感を与えることができる。併せて、覆い片および保護片に病院や製造および販売会社のロゴなどを刻むことによって紛失防止はもちろん、広告効果を同時に得ることができるようにすることもできる。
【００４８】
以上、ここでは、本発明を特定の実施例に関連して図示して説明したが、本発明は、それに限定されるものではなく、以下の特許請求の範囲は、本発明の精神と分野を逸脱しない限度内で本発明が多様に改造および変形がなされることができることを、当業界で通常の知識を有する者が容易に知ることができる。
【符号の説明】
【００４９】
１０：底板                              １２：突起
２０：覆い片                            ２０ａ：決着部
２２：第１の決着手段                    ３０：保護片
３２：第２の決着手段                    ４０：通気孔
５０：患者の足                          ６０：ギブス
１００：靴
【図１】
2016083350.tif 000003
【図２】
2016083350.tif 000004
【図３】
2016083350.tif 000005
【図４】
2016083350.tif 000006
【図５】
2016083350.tif 000007
【図６】
2016083350.tif 000008
【図７】
2016083350.tif 000009
【図８】
2016083350.tif 000010